(57)【要約】      （修正有）【課題】ハンドルロック装置を操作ハンドルに装着してＯＦＦ位置に鎖錠した状態で、手動によりＲＥＳＥＴ方向に外力（荷重）を加えても、ロック部材が操作ハンドルから簡単に外れないようにする。【解決手段】ＯＦＦ位置で摘み部３ａに嵌着するキャップ部６ａと一体に該キャップ部からケースカバーの開口部のＯＮ側端縁に向けて錠掛け穴６ｂ付きのプレートが張り出したロック部材６と、該ロック部材のプレートに添わせて「ロック」，「オープン」位置へ傾動可能に案内支持し、かつ「ロック」位置でハンドル摘み部の括れ段部３ｂに係合する爪部７ｃを備えた錠掛け穴７ａ付きのストッパ片７との組立体になるものにおいて、ロック部材６の抜け止めサポート手段として、ロック部材６に突起６ｅ，６ｆ，６ｇを突き出し形成し、矢印Ｐ方向に加えた外力荷重でハンドルロック装置５が操作ハンドル３から脱落するのを防止する。【選択図】図１
2008300327.tif 000002
【特許請求の範囲】
【請求項１】
ケースカバーの開口部を通して摘み部が外方に突き出したロッカー式の操作ハンドルをＯＦＦ位置に鎖錠する回路遮断器のハンドルロック装置であり、該ハンドルロック装置が、操作ハンドルのＯＦＦ位置で摘み部に嵌着するキャップ部と一体に該キャップ部からケースカバーの開口部のＯＮ側端縁に向けて錠掛け穴付きのプレートが張り出したロック部材と、該ロック部材のプレートに添わせて「ロック」，「オープン」位置へ傾動可能に案内支持し、かつ「ロック」位置で操作ハンドルの摘み部に係合する爪部を備えた錠掛け穴付きのストッパ片とからなるものにおいて、
前記ロック部材の抜け止めサポート手段として、ロック部材から突き出してハンドルのＲＥＳＥＴ方向への移動，傾動を阻止するストッパを設けたことを特徴とする回路遮断器のハンドルロック装置。
【請求項２】
請求項１に記載のハンドルロック装置において、ストッパがロック部材のキャップ部からその根元側に突き出し、操作ハンドルへの装着状態で操作ハンドルの摘み部とケースカバーの開口部のＲＥＳＥＴ側端縁との間の隙間に嵌入する突起であることを特徴とする回路遮断器のハンドルロック装置。
【請求項３】
請求項１に記載のハンドルロック装置において、ストッパがロック部材のキャップ部からケースカバーのＲＥＳＥＴ側表面に沿って突き出す突起であることを特徴とする回路遮断器のハンドルロック装置。
【請求項４】
請求項１に記載のハンドルロック装置において、ストッパがロック部材のロックプレート先端から突き出し、操作ハンドルへの装着状態でケースカバーの開口部のＯＮ側端縁に係合する突起であることを特徴とする回路遮断器のハンドルロック装置。
【発明の詳細な説明】
【技術分野】
【０００１】
本発明は、配線用遮断器，漏電遮断器などを対象とした回路遮断器のハンドルロック装置に関する。
【背景技術】
【０００２】
頭記の配線用遮断器，漏電遮断器は、低圧配電設備のコンポーネントとして配電盤の盤内に設置して使用されることが多い。一方、この配電盤の保守，点検を行う際には、作業の安全確保のために前記回路遮断器を断路して非活線状態で作業を行うようにしており、この場合には回路遮断器の操作ハンドルをＯＦＦ位置に鎖錠し、保守点検作業中に誤操作で回路遮断器が不測に投入されるのを防ぐことが必要である。
【０００３】
そこで、回路遮断器の付属装置（オプション品）として、従来より操作ハンドルをＯＦＦ位置に鎖錠する各種方式のハンドルロック装置が提案されており、その一例として回路遮断器のＯＦＦ状態でその操作ハンドルに装着してハンドルをＯＮ位置に投入できないよう拘束した上で、さらに南京錠を掛けてハンドルをＯＦＦ位置に鎖錠するようにしたハンドルロック装置が本発明と同一出願人より先に提案されている（特許文献１参照）。
【０００４】
次に、回路遮断器，および前記提案になるハンドルロック装置の従来構造を図３〜図５に示す。まず、図３，図４において、１は回路遮断器のケース、２はケースカバー、３はロッカー式の操作ハンドル、４はハンドルレバーであり、操作ハンドル３はその摘み部３ａがケースカバー２の開口部２ａを通して外方に突き出している。なお、摘み部３ａにはその中段部位に括れ段部３ｂを形成し、手動でハンドルをＯＮ，ＯＦＦ，ＲＥＳＥＴ位置に移動操作する際に、指先が摘み部に掛かり易くするようにしている。
【０００５】
一方、前記摘み部３ａに装着して操作ハンドルをＯＦＦ位置に鎖錠するハンドルロック装置５は特許文献１で詳しく述べられており、図４，図５で示すようにロック部材６と、該ロック部材６のプレートに添わせたストッパ片７との組立体（モールド樹脂製）になる。ここで、ロック部材６は操作ハンドル３のＯＦＦ位置で摘み部３ａに嵌着する鞘状のキャップ部６ａと、キャップ部６ａからケースカバーの開口部２ａのＯＮ側端縁に向けて張り出すロックプレートとが一体成形されており、ロックプレートには南京錠（不図示）が掛けられるように複数の錠掛け穴６ｂと、後記のストッパ片７を「ロック」，「オープン」位置へ回動可能に案内支持する支軸６ｃ，および円弧状のガイド溝６ｄを備えている。
【０００６】
また、ストッパ片７は、前記ロック部材６の支軸６ｃに枢支して回動可能に組み付けられており、その板面には前記ロック部材６の錠掛け穴６ｂに対応する錠掛け穴７ａ、ロック部材６のガイド溝６ｄに嵌入するガイド爪７ｂ、およびストッパ片の「ロック」位置でハンドル摘み部３ａに形成した括れ段部３ｂに掛止する係合爪部７ｃが形成されている。
【０００７】
上記のハンドルロック装置５は、図４のように回路遮断器のＯＦＦ状態で操作ハンドル３の摘み部３ａにロック部材６のキャップ部６ａを嵌着し（この際に、ストッパ片７は図示のように「オープン」位置に開いておく）、続いてストッパ片７を図５に示す「ロック」位置に傾動する。これによりストッパ片７の係合爪部７ｃがキャップ部６ａの切欠溝を通じてキャップの内側に突き出して摘み部３ａの括れ段部３ｂに係合してハンドルロック装置５を抜け止めする。また、この状態ではロック部材６のキャップ部６ａから張り出したロックプレートがケースカバーの開口部２ａのＯＮ側端縁との間に嵌まり込んで操作ハンドル３がＯＦＦ位置からＯＮ位置に移動できないように拘束する。さらに、この装着状態でロック部材６とストッパ片７の錠掛け穴６ｂ，７ａを通して南京錠を掛けることにより、操作ハンドル３がＯＦＦ位置に鎖錠されてＯＮ位置への操作ができなくなる。
【特許文献１】特開２００６−１９２０３号公報
【発明の開示】
【発明が解決しようとする課題】
【０００８】
ところで、前記した従来構造のハンドルロック装置では、取扱い操作，機能面で次記のような問題点がある。
【０００９】
すなわち、回路遮断器がトリップ動作した後に、遮断器の接点機構を電気的，機械的に再投入するには、ＴＲＩＰ位置に停止している操作ハンドル３を、一旦ＯＦＦ位置を超えてＲＥＳＥＴ位置（回路遮断器の負荷側）に移動するようにリセット操作した上で、あらためてＯＮ位置に投入操作するようにしている。すなわち、ケースカバー２の開口部２ａは、前記のリセット操作に対応して操作ハンドル３がＯＦＦ位置からＲＥＳＥＴ位置（図中でＯＦＦ位置よりも右側位置）に移動できるように設定されている。
【００１０】
これにより、操作ハンドル３のＯＦＦ位置で摘み部３ａにハンドルロック装置５を装着した状態でも、図５で表すようにハンドルの摘み部３ａとケースカバーの開口部２ａのＲＥＳＥＴ側端縁との間に隙間ｇａｐが残り、このギャップの範囲で操作ハンドル３と一緒にハンドルロック装置５を右側に押込み移動することか可能である。
【００１１】
そのために、図５のハンドルロック状態で、ハンドルロック装置５のロック部材６に手をかけて図示の矢印Ｐ方向（遮断器ケースの負荷側）に力（荷重）を加えると、前記隙間ｇａｐの範囲で操作ハンドル３とハンドルロック装置５とが一体となってＲＥＳＥＴ方向に傾動する。この場合に、操作ハンドル３はハンドルレバー４の先端を枢支支点とした円弧状の移動軌跡に沿って回動するのに対して、ハンドルロック装置５に加える操作力は図示矢印Ｐの直線方向（遮断器ケースを横向き姿勢に設置した場合は水平方向、遮断器ケースを縦向き姿勢に設置した場合には垂直方向）である。さらに、摘み部３ａとここに嵌着したロック部材６のキャップ部６ａとの間には多少のガタツキもある。これにより、操作ハンドル３のロック部材６には操作ハンドル３の摘み部３ａから抜け出す方向に分力荷重が作用するとともに、この荷重を受けたハンドルロック装置はＲＥＳＥＴ側に倒れ込み、その結果としてストッパ片７の係合爪部７ｃと摘み部３ａに形成した括れ段部３ｂとの間の係合が外れてハンドルロック装置５が操作ハンドル３から比較的簡単に抜けて脱落するといった不具合が発生する。
【００１２】
本発明は上記の点に鑑みなされたものであり、その目的は前記課題を解決し、ハンドルロック装置を操作ハンドルに装着してＯＦＦ位置に鎖錠した状態で、手動によりＲＥＳＥＴ方向に外力（荷重）を加えても、ロック部材が操作ハンドルから簡単に外れないように構造を改良した回路遮断器のハンドルロック装置を提供することにある。
【課題を解決するための手段】
【００１３】
上記目的を達成するために、本発明によれば、ケースカバーの開口部を通して摘み部が外方に突き出したロッカー式の操作ハンドルをＯＦＦ位置に鎖錠する回路遮断器のハンドルロック装置が、操作ハンドルのＯＦＦ位置で摘み部に嵌着するキャップ部と一体に該キャップ部からケースカバーの開口部のＯＮ側端縁に向けて錠掛け穴付きのプレートが張り出したロック部材と、該ロック部材のプレートに添わせて「ロック」，「オープン」位置へ傾動可能に案内支持し、かつ「ロック」位置で操作ハンドルの摘み部に係合する爪部を備えた錠掛け穴付きのストッパ片とからなるものにおいて、
前記ロック部材の抜け止めサポート手段として、ロック部材から突き出してハンドルのＲＥＳＥＴ方向への移動，傾動を阻止するストッパを設けるものとし（請求項１）、そのストッパは具体的に次記のような態様で構成する。
（１）前記のストッパはロック部材のキャップ部からその根元側に突き出した突起であり、操作ハンドルへの装着状態で前記突起を操作ハンドルの摘み部とケースカバーの開口部のＲＥＳＥＴ側端縁との間の隙間に嵌入して操作ハンドルおよびロック部材のＲＥＳＥＴ側への移動を阻止する（請求項２）。
（２）前記のストッパはロック部材のキャップ部からケースカバーのＲＥＳＥＴ側表面に沿って突き出す突起であり、操作ハンドルへの装着状態でロック部材が外力荷重を受けてＲＥＳＥＴ側に倒れるのを阻止する（請求項３）。
（３）前記のストッパはロック部材のロックプレート先端から突き出してケースカバーの開口部のＯＮ側端縁に係合する突起で、操作ハンドルへの装着状態でロック部材が外力を受けてＲＥＳＥＴ側に倒れるのを阻止する（請求項４）。
【発明の効果】
【００１４】
上記構成によれば、操作ハンドルの摘み部にハンドルロック装置を装着した状態で、ハンドルロック装置のロック部材にハンドルのＲＥＳＥＴ方向へ押し込むような外力荷重を加えた場合でも、ロック部材から突き出した前記の突起（ストッパ）がケースカバーの開口部，ないしカバー表面に干渉してロック部材のＲＥＳＥＴ方向への移動，倒れ込みを阻止してハンドルロック装置が操作ハンドルから簡単に外れるのを確実に防止できる。
【発明を実施するための最良の形態】
【００１５】
以下、本発明の実施の形態を図１，図２に示す実施例に基づいて説明する。なお、図１はハンドルロック装置を装着した操作ハンドルをＯＦＦ位置に鎖錠した状態を表す図、図２（ａ），（ｂ）はハンドルロック装置のストッパ片を「ロック」位置，「オープン」位置にセットした状態図であり、図４，図５に対応する部材には同じ符号を付してその説明は省略する。
【００１６】
すなわち、図示実施例のハンドルロック装置５は、図４，図５に示した従来構造と同様にロック部材６とストッパ片７との組立体を基本とし、そのロック部材６には抜け止め防止用のサポート部材として符号６ｅ，６ｆ，６ｇで表す突起が追加形成されている。
【００１７】
ここで、第１の突起６ｅは、キャップ部６ａから根元側（下側）に延在した壁状突起であり、操作ハンドル３のＯＦＦ位置で摘み部３ａにハンドルロック装置５を装着した状態では、図１で示すように突起６ｅがケースカバー２の開口部２ａに嵌入して摘み部３ａとＲＥＳＥＴ側の開口部端縁との間の隙間ｇａｐ（図５参照）を埋める。
【００１８】
また、第２の突起６ｆは、キャップ部６ａからＲＥＳＥＴ側（回路遮断器の負荷側）に張り出したリブ状の突起であり、ハンドルロック装置５を操作ハンドル３に装着した状態では突起６ｆが前記した隙間を越えてケースカバー２の外表面に沿って突き出している。
【００１９】
さらに、第３の突起６ｇは、前記突起６ｆとは逆にキャップ部６ａからＯＮ側（回路遮断器の電源側）に張り出したロックプレートの先端に形成されており、ハンドルロック装置５を操作ハンドル３に装着した状態で突起６ｇがケースカバー２の開口部２ａのＯＮ側端縁の内側に係合する。
【００２０】
上記の構成により、図１のハンドルロック状態では、第１の突起６ｅが操作ハンドル３の摘み部３ａとケースカバー２の開口部２ａのＲＥＳＥＴ側端縁との間に残る隙間に嵌まり込んで隙間を埋める。これにより、矢印Ｐ方向に外力を加えても操作ハンドル３，ハンドルロック装置５がＲＥＳＥＴ方向に移動することが阻止される。
【００２１】
また、ケースカバー２の外表面に沿って突き出した第２の突起６ｆは、矢印Ｐ方向の外力に対してハンドルロック装置５がＲＥＳＥＴ側に倒れ込むのを阻止するように機能する。さらに、ケースカバー２の開口部２ａのＯＮ側端縁に係合した第３の突起６ｇは、第２の突起６ｆと同様に矢印Ｐ方向の外力に対してハンドルロック装置５がＲＥＳＥＴ側に倒れ込むのを阻止するように機能する。
【００２２】
これにより、回路遮断器のＯＦＦ状態で操作ハンドル３の摘み部３ａにハンドルロック装置５を装着した状態では、操作ハンドル３がＯＦＦ位置からＯＮ側，ＲＥＳＥＴ側のいずれにも動かせないようにＯＦＦ位置に鎖錠される。また、この鎖錠状態でハンドルロック装置５に手をかけて矢印Ｐ方向に外力荷重を加えても、ロック部材６がＲＥＳＥＴ側に倒れ込むことが阻止される。その結果、ハンドル摘み部３ａの括れ段部３ｂに係合しているストッパ片７の係合爪部７ｃが外れてロック装置全体が操作ハンドル３から脱落するのを確実に防止できる。
【００２３】
なお、図示実施例ではロック部材６に第１，第２および第３の突起６ｅ〜６ｇを形成しているが、必ずしも三つの突起を全て形成する必要がなく、例えば第１〜第３の突起６ｅ〜６ｇのいずれか一つ、あるいは突起６ｅと突起６ｆ、または突起６ｅと突起６ｇを組み合わせて実施しても同様な効果を奏することができる。
【図面の簡単な説明】
【００２４】
【図１】本発明の実施例によるハンドルロック装置の構成図で、操作ハンドルのＯＦＦ位置でハンドル摘み部にハンドルロック装置を装着した状態の側視断面図
【図２】図１におけるハンドルロック装置の単独外形図で（ａ），（ｂ）はそれぞれストッパ片を「ロック」位置，「オープン」位置にセットした状態図
【図３】回路遮断器の外観斜視図
【図４】従来構造のハンドルロック装置を回路遮断器の操作ハンドルに装着する前の状態を表す側視断面図
【図５】図４のハンドルロック装置を操作ハンドルの摘み部に装着したハンドルロックの状態を表す側視断面図
【符号の説明】
【００２５】
２    ケースカバー
２ａ  開口部
３    操作ハンドル
３ａ  摘み部
３ｂ  括れ段部
５    ハンドルロック装置
６    ロック部材
６ａ  キャップ部
６ｂ  錠掛け穴
６ｃ  支軸
６ｄ  ガイド溝
６ｅ  第１の突起
６ｆ  第２の突起
６ｇ  第３の突起
７    ストッパ片
７ａ  錠掛け穴
【図１】
2008300327.tif 000003
【図２】
2008300327.tif 000004
【図３】
2008300327.tif 000005
【図４】
2008300327.tif 000006
【図５】
2008300327.tif 000007